(57)【要約】【課題】    支持具の両側に別々のシート状物を支持することができる支持具を提供する。【解決手段】支持物によって支持される一端側支持棒と、該一端側支持棒に一端と他端とが固定可能であり、シート状の第１シート状物の一縁が固定される第１シート支持棒と、該一端側支持棒に一端と他端とが固定可能であり、シート状の第２シート状物の一縁が固定される第２シート支持棒と、を備えてなる、シート状物の支持具。【選択図】  図１
0003105743.tif 000002
【実用新案登録請求の範囲】
【請求項１】
支持物によって支持される一端側支持棒と、
該一端側支持棒に一端と他端とが固定可能であり、シート状の第１シート状物の一縁が固定される第１シート支持棒と、
該一端側支持棒に一端と他端とが固定可能であり、シート状の第２シート状物の一縁が固定される第２シート支持棒と、
を備えてなる、シート状物の支持具。
【請求項２】
前記一端側支持棒の長手方向に対して垂直な断面のいずれかにおいて、前記第１シート支持棒の断面と、前記第２シート支持棒の断面と、があらわれるものである、請求項１に記載のシート状物の支持具。
【請求項３】
前記一端側支持棒の中心点の集合により形成される線である中心線が、直線に略沿ったものであり、
前記第１シート支持棒と前記第２シート支持棒とが、該中心線を含む所定の第１の平面に対して面対称に略配設されるものである、請求項２に記載のシート状物の支持具。
【請求項４】
前記一端側支持棒と前記第１シート支持棒と前記第２シート支持棒とが、前記中心線を含む所定の第２の平面にほぼ属するよう配設されるものである、請求項３に記載のシート状物の支持具。
【請求項５】
前記第１シート支持棒と前記第２シート支持棒とが、曲線に略沿っているものである、請求項１乃至４のいずれか１に記載のシート状物の支持具。
【請求項６】
前記第１シート状物の前記一縁と離れた部分を固定する第１シート状物他部分固定部と、前記第２シート状物の前記一縁と離れた部分を固定する第２シート状物他部分固定部と、該第１シート状物他部分固定部と該第２シート状物他部分固定部との一方を他方に対して互いに固定する他部分固定部相互固定部と、を有する他部分固定手段を、さらに備えてなる、請求項１乃至５のいずれか１に記載のシート状物の支持具。
【請求項７】
前記他部分固定手段が、前記第１シート状物と前記第２シート状物との少なくともいずれかに張力を加えるものである、請求項６に記載のシート状物の支持具。
【請求項８】
前記他部分固定部相互固定部が他部分固定部相互固定棒であり、
前記第１シート状物他部分固定部が、該他部分固定部相互固定棒に一端と他端とが固定可能な第１シート状物他部分固定棒であり前記第１シート状物の前記一縁と相対する他縁を固定し、
前記第２シート状物他部分固定部が、該他部分固定部相互固定棒に一端と他端とが固定可能な第２シート状物他部分固定棒であり前記第２シート状物の前記一縁と相対する他縁を固定するものである、請求項６又は７に記載のシート状物の支持具。
【請求項９】
前記支持物が棒状物であり、
前記他部分固定手段が該棒状物を貫通させる貫通孔を有するものである、請求項８に記載のシート状物の支持具。
【考案の詳細な説明】
【技術分野】
【０００１】
本考案は、シート状物の支持具に関し、より詳細には、両側にシート状物を支持することができる支持具に関する。
【背景技術】
【０００２】
シート状物を支持するために様々な支持具が用いられてきた。
例えば、スーパーマーケット、デパート、個人商店等のような商品を販売する店舗において、商品の価格や品名等を表示した広告媒体であるシート状物を顧客にわかりやすく配置するために、シート状物を支持する支持具が多用されてきた（例えば、特許文献１参照）。
【０００３】
【特許文献１】登録実用新案第３０００９７０号公報（第２図）
【考案の開示】
【考案が解決しようとする課題】
【０００４】
しかしながら、このように従来から用いられてきた支持具は、１のシート状物を支持するものであり、支持具の両側に別々のシート状物を支持するものではなかった。今日、特に、商品を販売する店舗等においては、広告媒体が多用される傾向にあり、１の支持具によってその支持具の両側に広告媒体であるシート状物を支持する要求が高まっている。
そこで、本考案では、支持具の両側に別々のシート状物を支持することができる支持具を提供することを目的とする。
【課題を解決するための手段】
【０００５】
本考案の支持具（以下、「本支持具」という。）は、支持物によって支持される一端側支持棒と、該一端側支持棒に一端と他端とが固定可能であり、シート状の第１シート状物の一縁が固定される第１シート支持棒と、該一端側支持棒に一端と他端とが固定可能であり、シート状の第２シート状物の一縁が固定される第２シート支持棒と、を備えてなる、シート状物の支持具である。
【０００６】
こうすることで一端側支持棒が支持物によって支持される。そして、第１シート支持棒は、第１シート支持棒の一端と他端とが一端側支持棒に固定されることで一端側支持棒に対して固定されることができ、そしてシート状の第１シート状物の一縁が第１シート支持棒に固定されることで、第１シート状物が第１シート支持棒及び一端側支持棒を介して支持物に対して固定される。同様に、第２シート支持棒は、第２シート支持棒の一端と他端とが一端側支持棒に固定されることで一端側支持棒に対して固定されることができ、そしてシート状の第２シート状物の一縁が第２シート支持棒に固定されることで、第２シート状物が第２シート支持棒及び一端側支持棒を介して支持物に対して固定される。このようにして、本支持具を用いることで、第１シート状物と第２シート状物が支持物に対して固定され、本支持具の両側に別々の第１及び第２シート状物を支持することができる。
なお、「支持物」としては、第１シート状物と第２シート状物を支持した本支持具が十分な強度で確実に支持されるものであればいかなるものであってもよく何ら制限されるものではないが、一例としては、テーブル・机、柱、棒、車両、天井等の高い位置に一端が取り付けられた吊り下げ用の線材等を例示的に挙げることができる。
また、「シート状物」とは、薄膜状、板状、フィルム状のような主表面を有するものをいい、一例としては紙、布、樹脂製又は金属製の薄膜（フィルム）、厚紙、材木板、樹脂製又は金属製の板等を例示することができる。
【０００７】
前記一端側支持棒の長手方向に対して垂直な断面のいずれかにおいて、前記第１シート支持棒の断面と、前記第２シート支持棒の断面と、があらわれるもの（以下、「重なり支持具」という。）であってもよい。
こうすることで、このような前記第１シート支持棒の断面と、前記第２シート支持棒の断面と、の両断面があらわれる該垂直な断面においては、第１シート状物と第２シート状物とを背中合わせ（裏面同士が面するよう）に支持することができるので、第１シート状物の表面と第２シート状物の表面とが見やすくかつ場所をとることなく（一端側支持棒の長手方向に沿った別の位置に第１及び第２シート状物を支持すると、一端側支持棒の長手方向への寸法が大きくなる。）、第１及び第２シート状物を支持することができる。
【０００８】
重なり支持具の場合、前記一端側支持棒の中心点の集合により形成される線である中心線が、直線に略沿ったものであり、前記第１シート支持棒と前記第２シート支持棒とが、該中心線を含む所定の第１の平面に対して面対称に略配設されるもの（以下、「面対称支持具」という。）であってもよい。
なお、「一端側支持棒の中心点」とは、一端側支持棒の長手方向に対して垂直な断面における上部支持棒の外形によって規定される図形が一様な質量分布であると仮定したときの該図形の重心位置をいう。そして、かかる中心点をつなげて形成される線が中心線である。
こうすることで、一端側支持棒の中心線を含む所定の第１の平面に対してほぼ面対称になるように第１シート状物と第２シート状物とをバランス良く支持することができるので、見栄え良くさらに力学的にも安定した状態を保つことができる。
【０００９】
面対称支持具の場合、前記一端側支持棒と前記第１シート支持棒と前記第２シート支持棒とが、前記中心線を含む所定の第２の平面にほぼ属するよう配設されるものであってもよい。
こうすることで、第１シート状物の一縁と第２シート状物の一縁との両一縁が第２の平面の位置にほぼ一致することから、見栄え良く第１シート状物と第２シート状物とを支持することができる。とりわけ第２の平面がほぼ水平になるように本支持具を配設すれば、第１シート状物の上縁と第２シート状物の上端との高さをそろえることができ、一段と見栄え良く第１シート状物と第２シート状物とを支持することができる。そして、一端側支持棒も第２の平面にほぼ属するよう配設されることから、第１シート支持棒と第２シート支持棒よりも一端側支持棒が突出した状態にならず、一端側支持棒が突出することによって見栄えを損なうこともない。
【００１０】
前記第１シート支持棒と前記第２シート支持棒とが、曲線に略沿っているものであってもよい。
ここに「曲線に略沿っている」とは、所定の曲率に沿った部分を有していることをいい、第１シート支持棒と第２シート支持棒が直線に沿った部分を有することを排除する意味ではない。所定の曲率に沿った部分としては、楕円の一部、円弧（円の一部）、二次曲線の一部等を例示することができる。
このようにすることで、第１シート支持棒及び第２シート支持棒によって支持された第１シート状物及び第２シート状物の表面に曲面部分を形成することができるので、第１シート状物及び第２シート状物の表面を立体的にみせることができる。とりわけ広告等のような看取される看取物が該表面に表示されていれば、該表面を立体的にみせることでその看取物を効果的に表示することができる。
【００１１】
前記第１シート状物の前記一縁と離れた部分を固定する第１シート状物他部分固定部と、前記第２シート状物の前記一縁と離れた部分を固定する第２シート状物他部分固定部と、該第１シート状物他部分固定部と該第２シート状物他部分固定部との一方を他方に対して互いに固定する他部分固定部相互固定部と、を有する他部分固定手段を、さらに備えてなるもの（以下、「他部分固定手段保有支持具」という。）であってもよい。
こうすることで第１シート状物他部分固定部が第１シート状物の前記一縁と離れた部分を固定し、第２シート状物他部分固定部が第２シート状物の前記一縁と離れた部分を固定すると共に、他部分固定部相互固定部が第１シート状物他部分固定部と第２シート状物他部分固定部との一方を他方に対して互いに固定するので、第１シート状物の前記一縁と離れた部分と第２シート状物の前記一縁と離れた部分との両部分が互いに固定され、第１シート状物と第２シート状物とのばたつきやゆれを減少又は防止することができる。
【００１２】
他部分固定手段保有支持具の場合、前記他部分固定手段が、前記第１シート状物と前記第２シート状物との少なくともいずれかに張力を加えるものであってもよい。
こうすることで第１シート状物と第２シート状物との少なくとも一方に他部分固定手段が張力を与えることにより、少なくとも該一方がのびた状態又はそれに近い状態で支持されることができる。また、かかる張力によって、少なくとも該一方のばたつきやゆれを減少又は防止することもできる。
【００１３】
他部分固定手段保有支持具の場合、前記他部分固定部相互固定部が他部分固定部相互固定棒であり、前記第１シート状物他部分固定部が、該他部分固定部相互固定棒に一端と他端とが固定可能な第１シート状物他部分固定棒であり前記第１シート状物の前記一縁と相対する他縁を固定し、前記第２シート状物他部分固定部が、該他部分固定部相互固定棒に一端と他端とが固定可能な第２シート状物他部分固定棒であり前記第２シート状物の前記一縁と相対する他縁を固定するもの（以下、「他縁固定支持具」という。）であってもよい。
ここに「前記一縁と相対する他縁」とは、第１シート状物又は第２シート状物の主表面を規定する縁のうち前記一縁と最も遠い縁をいう。
こうすることで第１シート状物他部分固定棒が第１シート状物の他縁を固定し、第２シート状物他部分固定棒が第２シート状物の他縁を固定し、他部分固定部相互固定棒が第１シート状物他部分固定棒と第２シート状物他部分固定棒とを固定する。これにより第１シート状物及び第２シート状物のいずれも一縁が第１シート支持棒及び第２シート支持棒により支持され、該一縁と遠い縁である他縁が第１シート状物他部分固定棒及び第２シート状物他部分固定棒により支持されるので、第１シート状物及び第２シート状物の主表面のほぼ全面にわたってばたつきやゆれを減少又は防止することができる。
【００１４】
他縁固定支持具の場合、前記支持物が棒状物であり、前記他部分固定手段が該棒状物を貫通させる貫通孔を有するものであってもよい。
こうすることで一端側支持棒を支持する支持物たる棒状物によって他部分固定手段の移動を制限することができるので、他部分固定手段の移動を制限するための格別の手段を要さない。
【考案を実施するための最良の形態】
【００１５】
本考案の実施の形態を図面を参照して詳述するが、本考案はこれに限定されるものではない。
【００１６】
（第１実施形態）
図１は、一例の本考案の支持具（本支持具）１１を示す斜視図であり、図２は、本支持具１１を構成する一端側支持棒１３と第１シート支持棒１５と第２シート支持棒１７との詳細図（図２（ａ））及び他部分固定手段３１の詳細図（図２（ｂ））であり、図９は一端側支持棒１３を示す詳細図（図９（ａ）は一端側支持棒１３の平面図（一部省略）であり、図９（ｂ）は一端側支持棒１３の正面図（一部省略。図９（ａ）の矢印Ｐ方向から見たところを示している。）である。）であり、図１０は他部分固定部相互固定棒３３を示す詳細図（図１０（ａ）は他部分固定部相互固定棒３３の平面図（一部省略）であり、図１０（ｂ）は他部分固定部相互固定棒３３の正面図（一部省略。図１０（ａ）の矢印Ｑ方向から見たところを示している。）である。）である。図１、図２、図９及び図１０を参照して、第１実施形態の本支持具１１について説明する。
また、第１実施形態においては、一端側支持棒１３を支持する支持物として棒状物たるポール７１を用いた例を示している。なお、ポール７１の下端は、図示していないが、ポール７１を支持するための地中に打ち込まれた杭に縛着されることによって、ポール７１は十分な強度で鉛直方向に向いて立設されている。
そして、図中、鉛直上方向を矢印Ａによって、鉛直下方向を矢印Ｂによって、それぞれ示した。
【００１７】
一端側支持棒１３は、長手方向（図１、図２及び図９中、矢印Ｃにより示した。）に対して垂直な全ての断面形状が略長方形のアルミニウム製の棒状部材（中空）によって形成されている。一端側支持棒１３は、直線に沿った真っ直ぐな部材であり、ポール７１の上端部分が貫入されるポール貫入孔１３ｈが長手方向（矢印Ｃ）に関してほぼ中央に穿設されている（ポール貫入孔１３ｈは、一端側支持棒１３の上面と下面とを貫通するように穿設されている。）。そして、一端側支持棒１３は、ポール７１の上端部分がポール貫入孔１３ｈに貫入された状態で該上端部分と一端側支持棒１３とが固定されることで、該上端部分に取り付けられている。そして、一端側支持棒１３は、第１シート支持棒１５の一端と他端とを貫入するための一対の第１シート支持棒貫入孔１３ｃ１、１３ｃ２が穿設されると共に、第２シート支持棒１７の一端と他端とを貫入するための一対の第２シート支持棒貫入孔１３ｃ３、１３ｃ４が穿設されており、これら一対の第１シート支持棒貫入孔１３ｃ１、１３ｃ２に一端と他端とが貫入されることで第１シート支持棒１５が一端側支持棒１３に取り付けられており、これら一対の第２シート支持棒貫入孔１３ｃ３、１３ｃ４に一端と他端とが貫入されることで第２シート支持棒１７が一端側支持棒１３に取り付けられている。
なお、一対の第１シート支持棒貫入孔１３ｃ１、１３ｃ２は第１シート支持棒１５の一端及び他端を遊嵌するが、第１シート支持棒１５の復元力（第１シート支持棒１５は、力を加えられていないときは真っ直ぐな樹脂製の丸棒であり、図１及び図２の状態においては真っ直ぐに戻る力（復元力）を生じている。）によって第１シート支持棒貫入孔１３ｃ１、１３ｃ２を規定する孔壁に第１シート支持棒１５の外面が強く押しつけられることで第１シート支持棒１５が一端側支持棒１３に取り付けられている。このため該復元力と反対方向の力を第１シート支持棒１５に加えれば、一対の第１シート支持棒貫入孔１３ｃ１、１３ｃ２に第１シート支持棒１５の一端と他端とを自由に抜き差しすることができる（即ち、第１シート支持棒１５は一端側支持棒１３に着脱自在である。）。
同様に、一対の第２シート支持棒貫入孔１３ｃ３、１３ｃ４は第２シート支持棒１７の一端及び他端を遊嵌するが、第２シート支持棒１７の復元力（第２シート支持棒１７は、力を加えられていないときは真っ直ぐな樹脂製の丸棒であり、図１及び図２の状態においては真っ直ぐに戻る力（復元力）を生じている。）によって第２シート支持棒貫入孔１３ｃ３、１３ｃ４を規定する孔壁に第２シート支持棒１７の外面が強く押しつけられることで第２シート支持棒１７が一端側支持棒１３に取り付けられている。このため該復元力と反対方向の力を第２シート支持棒１７に加えれば、一対の第２シート支持棒貫入孔１３ｃ３、１３ｃ４に第２シート支持棒１７の一端と他端とを自由に抜き差しすることができる（即ち、第２シート支持棒１７は一端側支持棒１３に着脱自在である。）。
【００１８】
第１シート支持棒１５及び第２シート支持棒１７は、いずれも同じ形状、材質、寸法であり、前述の通り、力を加えられていないときは真っ直ぐな樹脂製の丸棒によって形成されている。
第１シート支持棒１５を一端側支持棒１３に取り付ける際には、まず、第１シート支持棒１５を把持して力を加え、第１シート支持棒１５の一端及び他端が一対の第１シート支持棒貫入孔１３ｃ１、１３ｃ２にそれぞれ貫入できるよう第１シート支持棒１５をたわませる。次いで、第１シート支持棒１５の一端及び他端を一対の第１シート支持棒貫入孔１３ｃ１、１３ｃ２にそれぞれ貫入した後、第１シート支持棒１５をたわませるよう加えている力を除けば、前述のように、第１シート支持棒貫入孔１３ｃ１、１３ｃ２を規定する孔壁に第１シート支持棒１５の外面が強く押しつけられることで第１シート支持棒１５が一端側支持棒１３に取り付けられる。第１シート支持棒１５を一端側支持棒１３から取り外すには、この取付作業と逆の作業を行えばよい。
同様に、第２シート支持棒１７を一端側支持棒１３に取り付ける際には、まず、第２シート支持棒１７を把持して力を加え、第２シート支持棒１７の一端及び他端が一対の第２シート支持棒貫入孔１３ｃ３、１３ｃ４にそれぞれ貫入できるよう第２シート支持棒１７をたわませる。次いで、第２シート支持棒１７の一端及び他端を一対の第２シート支持棒貫入孔１３ｃ３、１３ｃ４にそれぞれ貫入した後、第２シート支持棒１７をたわませるよう加えている力を除けば、前述のように、第２シート支持棒貫入孔１３ｃ３、１３ｃ４を規定する孔壁に第２シート支持棒１７の外面が強く押しつけられることで第２シート支持棒１７が一端側支持棒１３に取り付けられる。第２シート支持棒１７を一端側支持棒１３から取り外すには、この取付作業と逆の作業を行えばよい。
【００１９】
他部分固定手段３１は、他部分固定部相互固定棒３３と、第１シート状物他部分固定棒３５と、第２シート状物他部分固定棒３７と、を有している。
他部分固定部相互固定棒３３は、長手方向（図１、図２及び図１０中、矢印Ｄにより示した。）に対して垂直な全ての断面形状が略長方形のアルミニウム製の棒状部材（中空）によって形成されている。他部分固定部相互固定棒３３は、直線に沿った真っ直ぐな部材であり、ポール７１が遊嵌されるポール貫入孔３３ｈが長手方向（矢印Ｄ）に関してほぼ中央に穿設されている（ポール貫入孔３３ｈは、他部分固定部相互固定棒３３の上面と下面とを貫通するように穿設されている。）。そして、他部分固定部相互固定棒３３は、ポール７１がポール貫入孔３３ｈに貫入されることで、ポール７１に取り付けられている（ここではポール７１の長手方向（図１中、矢印Ｅ方向）には他部分固定部相互固定棒３３はスライド自在である。）。そして、他部分固定部相互固定棒３３は、第１シート状物他部分固定棒３５の一端と他端とを貫入するための一対の第１シート状物他部分固定棒貫入孔３３ｄ１、３３ｄ２が穿設されると共に、第２シート状物他部分固定棒３７の一端と他端とを貫入するための一対の第２シート状物他部分固定棒貫入孔３３ｄ３、３３ｄ４が穿設されており、これら一対の第１シート状物他部分固定棒貫入孔３３ｄ１、３３ｄ２に一端と他端とが貫入されることで第１シート状物他部分固定棒３５が他部分固定部相互固定棒３３に取り付けられており、これら一対の第２シート状物他部分固定棒貫入孔３３ｄ３、３３ｄ４に一端と他端とが貫入されることで第２シート状物他部分固定棒３７が他部分固定部相互固定棒３３に取り付けられている。
なお、一対の第１シート状物他部分固定棒貫入孔３３ｄ１、３３ｄ２は第１シート状物他部分固定棒３５の一端及び他端を遊嵌するが、第１シート状物他部分固定棒３５の復元力（第１シート状物他部分固定棒３５は、力を加えられていないときは真っ直ぐな樹脂製の丸棒であり、図１及び図２の状態においては真っ直ぐに戻る力（復元力）を生じている。）によって第１シート状物他部分固定棒貫入孔３３ｄ１、３３ｄ２を規定する孔壁に第１シート状物他部分固定棒３５の外面が強く押しつけられることで第１シート状物他部分固定棒３５が他部分固定部相互固定棒３３に取り付けられている。このため該復元力と反対方向の力を第１シート状物他部分固定棒３５に加えれば、一対の第１シート状物他部分固定棒貫入孔３３ｄ１、３３ｄ２に第１シート状物他部分固定棒３５の一端と他端とを自由に抜き差しすることができる（即ち、第１シート状物他部分固定棒３５は他部分固定部相互固定棒３３に着脱自在である。）。
同様に、一対の第２シート状物他部分固定棒貫入孔３３ｄ３、３３ｄ４は第２シート状物他部分固定棒３７の一端及び他端を遊嵌するが、第２シート状物他部分固定棒３７の復元力（第２シート状物他部分固定棒３７は、力を加えられていないときは真っ直ぐな樹脂製の丸棒であり、図１及び図２の状態においては真っ直ぐに戻る力（復元力）を生じている。）によって第２シート状物他部分固定棒貫入孔３３ｄ３、３３ｄ４を規定する孔壁に第２シート状物他部分固定棒３７の外面が強く押しつけられることで第２シート状物他部分固定棒３７が他部分固定部相互固定棒３３に取り付けられている。このため該復元力と反対方向の力を第２シート状物他部分固定棒３７に加えれば、一対の第２シート状物他部分固定棒貫入孔３３ｄ３、３３ｄ４に第２シート状物他部分固定棒３７の一端と他端とを自由に抜き差しすることができる（即ち、第２シート状物他部分固定棒３７は他部分固定部相互固定棒３３に着脱自在である。）。
【００２０】
第１シート状物他部分固定棒３５及び第２シート状物他部分固定棒３７は、いずれも同じ形状、材質、寸法であり、前述の通り、力を加えられていないときは真っ直ぐな樹脂製の丸棒によって形成されている。
第１シート状物他部分固定棒３５を他部分固定部相互固定棒３３に取り付ける際には、まず、第１シート状物他部分固定棒３５を把持して力を加え、第１シート状物他部分固定棒３５の一端及び他端が一対の第１シート状物他部分固定棒貫入孔３３ｄ１、３３ｄ２にそれぞれ貫入できるよう第１シート状物他部分固定棒３５をたわませる。次いで、第１シート状物他部分固定棒３５の一端及び他端を一対の第１シート状物他部分固定棒貫入孔３３ｄ１、３３ｄ２にそれぞれ貫入した後、第１シート状物他部分固定棒３５をたわませるよう加えている力を除けば、前述のように、第１シート状物他部分固定棒貫入孔３３ｄ１、３３ｄ２を規定する孔壁に第１シート状物他部分固定棒３５の外面が強く押しつけられることで第１シート状物他部分固定棒３５が他部分固定部相互固定棒３３に取り付けられる。第１シート状物他部分固定棒３５を他部分固定部相互固定棒３３から取り外すには、この取付作業と逆の作業を行えばよい。
同様に、第２シート状物他部分固定棒３７を他部分固定部相互固定棒３３に取り付ける際には、まず、第２シート状物他部分固定棒３７を把持して力を加え、第２シート状物他部分固定棒３７の一端及び他端が一対の第２シート状物他部分固定棒貫入孔３３ｄ３、３３ｄ４にそれぞれ貫入できるよう第２シート状物他部分固定棒３７をたわませる。次いで、第２シート状物他部分固定棒３７の一端及び他端を一対の第２シート状物他部分固定棒貫入孔３３ｄ３、３３ｄ４にそれぞれ貫入した後、第２シート状物他部分固定棒３７をたわませるよう加えている力を除けば、前述のように、第２シート状物他部分固定棒貫入孔３３ｄ３、３３ｄ４を規定する孔壁に第２シート状物他部分固定棒３７の外面が強く押しつけられることで第２シート状物他部分固定棒３７が他部分固定部相互固定棒３３に取り付けられる。第２シート状物他部分固定棒３７を他部分固定部相互固定棒３３から取り外すには、この取付作業と逆の作業を行えばよい。
【００２１】
次いで、本支持具１１の使用方法を簡単に説明する。
まず、本支持具１１に支持させる第１シート状物と第２シート状物とを準備する。ここでは第１シート状物と第２シート状物とは全く同じものを用いている。図３はシート状物８１（第１シート状物と第２シート状物とのいずれもシート状物８１と同じ。）を示す正面図（一部省略）であり、図４は図３の断面図（図４（ａ）は図３のＦ−Ｆ断面図であり、図４（ｂ）は図３のＧ−Ｇ断面図である。）である。図３及び図４を参照して、シート状物８１について説明する。
シート状物８１は、ポリエステル製の布によって構成されており、その表面の所定位置には広告宣伝用の文言８３（ここでは「開店記念セール」）が表示されている。シート状物８１は、その表面が略長方形をしており、その一縁８１ａに沿って筒状の袋縫い部分８５が形成されると共に、その一縁８１ａと相対する他縁８１ｂに沿って筒状の袋縫い部分８７が形成されている。袋縫い部分８５は、シート状物８１を構成する布の一辺８２ａを折り返し、糸８９ａによって縫いつけることで形成されており、袋縫い部分８５は、筒内部８５ａが中空な一縁８１ａに沿った筒（筒内部８５ａは両端が開放されている。）を形成している。なお、筒内部８５ａは、第１シート支持棒１５又は第２シート支持棒１７を貫通させることができる寸法にされている。同様に、袋縫い部分８７は、シート状物８１を構成する布の他辺８２ｂを折り返し、糸８９ｂによって縫いつけることで形成されており、袋縫い部分８７は、筒内部８７ａが中空な他縁８１ｂに沿った筒（筒内部８７ａは両端が開放されている。）を形成している。筒内部８７ａは、第１シート状物他部分固定棒３５又は第２シート状物他部分固定棒３７を貫通させることができる寸法にされている。
【００２２】
以上説明した２枚のシート状物８１を準備し、その２枚の内１枚を第１シート状物とし、他の１枚を第２シート状物とする。
第１工程として、第１シート状物の筒内部８５ａに、一端側支持棒１３から取り外した第１シート支持棒１５を貫入し（第１シート支持棒１５の両端部分は袋縫い部分８５から突出した状態になる。）、さらに第２シート状物の筒内部８５ａに、一端側支持棒１３から取り外した第２シート支持棒１７を貫入する（第２シート支持棒１７の両端部分は袋縫い部分８５から突出した状態になる。）。
第２工程として、第１シート状物の筒内部８５ａに貫入した第１シート支持棒１５の一端と他端とを、一端側支持棒１３に形成された一対の第１シート支持棒貫入孔１３ｃ１、１３ｃ２に貫入することで、一端側支持棒１３に第１シート支持棒１５を取り付ける。同様に、第２シート状物の筒内部８５ａに貫入した第２シート支持棒１７の一端と他端とを、一端側支持棒１３に形成された一対の第２シート支持棒貫入孔１３ｃ３、１３ｃ４に貫入することで、一端側支持棒１３に第２シート支持棒１７を取り付ける。
第３工程として、一端側支持棒１３をポール７１の上端部分に取り付ける。
第４工程として、ポール７１を他部分固定部相互固定棒３３に貫入する（具体的には、ポール７１の下端を他部分固定部相互固定棒３３のポール貫入孔３３ｈに貫入する。）。
第５工程として、ポール７１の下端を、ポール７１を支持するために地中に打ち込まれた杭（図示せず）に縛着する。
第６工程として、第１シート状物の筒内部８７ａに、他部分固定部相互固定棒３３から取り外した第１シート状物他部分固定棒３５を貫入し（第１シート状物他部分固定棒３５の両端部分は袋縫い部分８７から突出した状態になる。）、さらに第２シート状物の筒内部８７ａに、他部分固定部相互固定棒３３から取り外した第２シート状物他部分固定棒３７を貫入する（第２シート状物他部分固定棒３７の両端部分は袋縫い部分８７から突出した状態になる。）。
第７工程として、第１シート状物の筒内部８７ａに貫入した第１シート状物他部分固定棒３５の一端と他端とを、他部分固定部相互固定棒３３に形成された一対の第１シート状物他部分固定棒貫入孔３３ｄ１、３３ｄ２に貫入することで、他部分固定部相互固定棒３３に第１シート状物他部分固定棒３５を取り付ける。同様に、第２シート状物の筒内部８７ａに貫入した第２シート状物他部分固定棒３７の一端と他端とを、他部分固定部相互固定棒３３に形成された一対の第２シート状物他部分固定棒貫入孔３３ｄ３、３３ｄ４に貫入することで、他部分固定部相互固定棒３３に第２シート状物他部分固定棒３７を取り付ける。
以上のようにして、図５に示すように、本支持具１１を用いて２枚のシート状物８１（第１シート状物、第２シート状物）を支持することができる。
【００２３】
このように本支持具１１は、支持物（棒状物）たるポール７１によって支持される一端側支持棒１３と、一端側支持棒１３に一端と他端とが固定可能であり、シート状の第１シート状物（シート状物８１）の一縁８１ａが固定される第１シート支持棒１５と、一端側支持棒１３に一端と他端とが固定可能であり、シート状の第２シート状物（シート状物８１）の一縁８１ａが固定される第２シート支持棒１７と、を備えてなる、シート状物の支持具である。
また、一端側支持棒１３の長手方向（図１、図２、図６、図９中、矢印Ｃにより示した。）に対して垂直な断面のいずれか（ここでは図６中、矢印Ｊにより示される範囲内の断面であれば全て）において、第１シート支持棒１５の断面と、第２シート支持棒１７の断面と、があらわれる。
そして、一端側支持棒１３の中心点の集合により形成される線である中心線（図６及び図７中、点線Ｋにより示した。）が、直線に略沿ったものであり、第１シート支持棒１５と第２シート支持棒１７とが、中心線（点線Ｋ）を含む所定の第１の平面（ここでは中心線（点線Ｋ）を含んで図６に示された面に垂直な平面）に対して面対称に略配設されるものである。
また、一端側支持棒１３と第１シート支持棒１５と第２シート支持棒１７とが、前記中心線（点線Ｋ）を含む所定の第２の平面（図６中の矢印Ｍ方向から見たところを示す図７においては、中心線（点線Ｋ）を含んで図７に示された面に垂直な平面）にほぼ属するよう配設されるものである。なお、図７には第２シート支持棒１７はあらわれないが、第１シート支持棒１５と同様、第２の平面（中心線（点線Ｋ）を含んで図７に示された面に垂直な平面）にほぼ属するよう配設されている。
そして、第１シート支持棒１５と第２シート支持棒１７とが、曲線（ここでは円弧）に略沿っている。
【００２４】
さらに、本支持具１１は、第１シート状物（シート状物８１）の前記一縁８１ａと離れた部分（他縁８１ｂ）を固定する第１シート状物他部分固定部たる第１シート状物他部分固定棒３５と、第２シート状物（シート状物８１）の前記一縁８１ａと離れた部分（他縁８１ｂ）を固定する第２シート状物他部分固定部たる第２シート状物他部分固定棒３７と、第１シート状物他部分固定部たる第１シート状物他部分固定棒３５と第２シート状物他部分固定部たる第２シート状物他部分固定棒３７との一方を他方に対して互いに固定する他部分固定部相互固定部たる他部分固定部相互固定棒３３と、を有する他部分固定手段３１を、さらに備えてなる。
そして、他部分固定手段３１が、第１シート状物（シート状物８１）と第２シート状物（シート状物８１）との少なくともいずれか（ここでは両方）に張力を加える。なお、ここでは他部分固定手段３１の質量によって生じる下方向への重力が、これら第１シート状物（シート状物８１）と第２シート状物（シート状物８１）とに張力を与える（他部分固定部相互固定棒３３のポール貫入孔３３ｈにはポール７１が遊嵌されるため、他部分固定手段３１の重力は、これら第１シート状物（シート状物８１）と第２シート状物（シート状物８１）とにより支えられる。）。
【００２５】
上述のように、ここでは他部分固定部相互固定部が他部分固定部相互固定棒３３であり、第１シート状物他部分固定部が、他部分固定部相互固定棒３３に一端と他端とが固定可能な第１シート状物他部分固定棒３５であり第１シート状物（シート状物８１）の前記一縁８１ａと相対する他縁８１ｂを固定し、第２シート状物他部分固定部が、他部分固定部相互固定棒３３に一端と他端とが固定可能な第２シート状物他部分固定棒３７であり第２シート状物（シート状物８１）の前記一縁８１ａと相対する他縁８１ｂを固定するものである。
また、ここでは支持物が棒状物たるポール７１であり、他部分固定手段３１（ここでは他部分固定部相互固定部たる他部分固定部相互固定棒３３）が棒状物たるポール７１を貫通させる貫通孔たるポール貫入孔３３ｈを有する。
なお、第１シート支持棒１５と第２シート支持棒１７と一端側支持棒１３とを組み付けたもの（図２（ａ）に示すもの）は、ポール貫入孔１３ｈとポール貫入孔３３ｈとの大きさ（径）が異なることを除いては他部分固定手段３１と同じ形状、大きさ、構造である。
【００２６】
（第２実施形態）
本支持具１１の一端側支持棒１３を支持する支持物としては、図８に示すように、天井等の高い位置に一端が取り付けられた吊り下げ用の線材９１を用いることもできる。一端側支持棒１３を支持する支持物として吊り下げ用の線材９１を用いた第２実施形態の本支持具１１について、図８を参照して説明する。第２実施形態の本支持具１１は、第１実施形態の本支持具１１に比して、支持物としてポール７１の代わりに線材９１を用いることが異なるのみで、その余りは同様であるので、ここでは第１実施形態と重複する説明は省略する（なお、第１実施形態と同じ要素には同じ参照番号を付している。）。
一端側支持棒１３のポール貫入孔１３ｈには、ポール貫入孔１３ｈに下方からは貫入可能かつ上方には抜き取り不可能な金具９３が貫入されている。そして、天井等の高い位置に一端が取り付けられた線材９１の他端が金具９３に結びつけられている。これにより一端側支持棒１３は線材９１によって支持されている。なお、第１実施形態のようにポール７１がポール貫入孔３３ｈに貫入されることで他部分固定手段３１の変位が制限される（ポール７１の長手方向に対して垂直方向への変位制限）ことはここではなく、ここでは他部分固定手段３１は、第１シート状物（シート状物８１）と第２シート状物（シート状物８１）とによって吊り下げられた状態で支持されているのみである。
【００２７】
以上のような第２実施形態の本支持具１１の使用方法について簡単に説明しておく。
第１工程としては、第１実施形態の第１工程と同様、第１シート状物の筒内部８５ａに第１シート支持棒１５を貫入し、さらに第２シート状物の筒内部８５ａに第２シート支持棒１７を貫入する。
第２工程としては、第１実施形態の第２工程と同様、一端側支持棒１３に第１シート支持棒１５及び第２シート支持棒１７を取り付ける。
第３工程として、ポール貫入孔１３ｈに下方から金具９３を貫入し、線材９１の他端を金具９３に結びつける（線材９１の一端は予め天井等の高い位置に取り付けられている。）。
第４工程として、第１実施形態の第６工程と同様、第１シート状物の筒内部８７ａに第１シート状物他部分固定棒３５を貫入し、さらに第２シート状物の筒内部８７ａに第２シート状物他部分固定棒３７を貫入する。
第５工程として、第１実施形態の第７工程と同様、他部分固定部相互固定棒３３に第１シート状物他部分固定棒３５及び第２シート状物他部分固定棒３７を取り付ける。
以上のようにして、図８に示すように、第２実施形態の本支持具１１を用いて２枚のシート状物８１（第１シート状物、第２シート状物）を支持することができる。
【００２８】
このように第２実施形態の本支持具１１は、支持物たる線材９１によって支持される一端側支持棒１３と、一端側支持棒１３に一端と他端とが固定可能であり、シート状の第１シート状物（シート状物８１）の一縁８１ａが固定される第１シート支持棒１５と、一端側支持棒１３に一端と他端とが固定可能であり、シート状の第２シート状物（シート状物８１）の一縁８１ａが固定される第２シート支持棒１７と、を備えてなる、シート状物の支持具である。
また、一端側支持棒１３の長手方向に対して垂直な断面のいずれかにおいて、第１シート支持棒１５の断面と、第２シート支持棒１７の断面と、があらわれることは第１実施形態と同様である。
そして、一端側支持棒１３の中心点の集合により形成される線である中心線が、直線に略沿ったものであり、第１シート支持棒１５と第２シート支持棒１７とが、中心線を含む所定の第１の平面に対して面対称に略配設されるものであることも第１実施形態と同様である。
また、一端側支持棒１３と第１シート支持棒１５と第２シート支持棒１７とが、前記中心線を含む所定の第２の平面にほぼ属するよう配設されるものであることも第１実施形態と同様である。
そして、第１シート支持棒１５と第２シート支持棒１７とが、曲線（ここでは円弧）に略沿っている。
【００２９】
さらに、第２実施形態の本支持具１１は、第１シート状物（シート状物８１）の前記一縁８１ａと離れた部分（他縁８１ｂ）を固定する第１シート状物他部分固定部たる第１シート状物他部分固定棒３５と、第２シート状物（シート状物８１）の前記一縁８１ａと離れた部分（他縁８１ｂ）を固定する第２シート状物他部分固定部たる第２シート状物他部分固定棒３７と、第１シート状物他部分固定部たる第１シート状物他部分固定棒３５と第２シート状物他部分固定部たる第２シート状物他部分固定棒３７との一方を他方に対して互いに固定する他部分固定部相互固定部たる他部分固定部相互固定棒３３と、を有する他部分固定手段３１を、さらに備えてなる。
そして、他部分固定手段３１が、第１シート状物（シート状物８１）と第２シート状物（シート状物８１）との少なくともいずれか（ここでは両方）に張力を加える。なお、ここでは他部分固定手段３１の質量によって生じる下方向への重力が、これら第１シート状物（シート状物８１）と第２シート状物（シート状物８１）とに張力を与える。
また、ここでは他部分固定部相互固定部が他部分固定部相互固定棒３３であり、第１シート状物他部分固定部が、他部分固定部相互固定棒３３に一端と他端とが固定可能な第１シート状物他部分固定棒３５であり第１シート状物（シート状物８１）の前記一縁８１ａと相対する他縁８１ｂを固定し、第２シート状物他部分固定部が、他部分固定部相互固定棒３３に一端と他端とが固定可能な第２シート状物他部分固定棒３７であり第２シート状物（シート状物８１）の前記一縁８１ａと相対する他縁８１ｂを固定するものである。
【図面の簡単な説明】
【００３０】
【図１】一例の本支持具（第１実施形態）を示す斜視図である。
【図２】本支持具を構成する一端側支持棒と第１シート支持棒と第２シート支持棒との詳細図及び他部分固定手段の詳細図である。
【図３】シート状物（第１シート状物、第２シート状物）を示す正面図（一部省略）である。
【図４】図３の断面図である。
【図５】本支持具（第１実施形態）を用いて２枚のシート状物（第１シート状物、第２シート状物）を支持したところを示す斜視図である。
【図６】第１シート支持棒と第２シート支持棒と一端側支持棒とを組み付けたものを示す詳細図である（図２（ａ）と同様な位置から見たもの）。
【図７】図６中の矢印Ｍ方向から見たところを示す図である。
【図８】本支持具（第２実施形態）を用いて２枚のシート状物（第１シート状物、第２シート状物）を支持したところを示す斜視図である。
【図９】一端側支持棒を示す詳細図である。
【図１０】他部分固定部相互固定棒を示す詳細図である。
【符号の説明】
【００３１】
１１          本支持具
１３          一端側支持棒
１３ｃ１、１３ｃ２  第１シート支持棒貫入孔
１３ｃ３、１３ｃ４  第２シート支持棒貫入孔
１３ｈ        ポール貫入孔
１５          第１シート支持棒
１７          第２シート支持棒
３１          他部分固定手段
３３          他部分固定部相互固定棒
３３ｄ１、３３ｄ２  第１シート状物他部分固定棒貫入孔
３３ｄ３、３３ｄ４  第２シート状物他部分固定棒貫入孔
３３ｈ        ポール貫入孔
３５          第１シート状物他部分固定棒
３７          第２シート状物他部分固定棒
７１          ポール
８１          シート状物
８１ａ        一縁
８１ｂ        他縁
８２ａ        布の一辺
８２ｂ        布の他辺
８３          広告宣伝用の文言
８５          袋縫い部分
８５ａ        筒内部
８７          袋縫い部分
８７ａ        筒内部
８９ａ        糸
８９ｂ        糸
９１          線材
９３          金具
【図１】
0003105743.tif 000003
【図２】
0003105743.tif 000004
【図３】
0003105743.tif 000005
【図４】
0003105743.tif 000006
【図５】
0003105743.tif 000007
【図６】
0003105743.tif 000008
【図７】
0003105743.tif 000009
【図８】
0003105743.tif 000010
【図９】
0003105743.tif 000011
【図１０】
0003105743.tif 000012